(57)【要約】本発明は、ＤＶＤディスクからタイトルセットデータと制御情報とを読み出して映像や音響を再生する記録メディア再生装置に関する。記録メディア再生装置としてのマルチディスクチェンジャーは、ＤＶＤディスクから読み出した制御情報に、本編たるタイトルの映像や音響を再生する前にメニューを表示せよとの命令が含まれる場合、当該メニューから選択可能で再生時間が所定時間以上のタイトルを主タイトルとして選択するタイトル選択部（３０）と、主タイトルに対応するタイトルセットデータをＤＶＤディスクから読み出して映像や音響を再生する再生部（２００）と、を備える。
2004093079.tif 000002
【特許請求の範囲】
【請求項１】
コンテンツをタイトル別に編集してなるタイトルセットデータと各タイトルの再生時間や再生手順ならびに所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置であって、
前記記録メディアから読み出した前記制御情報に基づいて本編たるタイトルのコンテンツを再生する前に複数の選択ボタンの表示を含む前記メニューが表示されたとき、再生時間が所定時間以上の選択ボタンに対応するタイトルを主タイトルとして選択するタイトル選択手段と、
前記タイトル選択手段より主タイトルとして選択されたタイトルに対応するタイトルセットデータを前記記録メディアから読み出して当該タイトルセットデータに含まれるコンテンツを再生する再生手段と、
を備えたことを特徴とする、記録メディア再生装置。
【請求項２】
前記タイトル選択手段は、各選択ボタンに対応するコマンドの内容を確認するコマンド確認手段と、前記コマンド確認手段によりコマンドの内容がタイトルの再生であると確認されたとき、その選択ボタンに対応するタイトルの再生時間を確認する再生時間確認手段と、前記再生時間確認手段により確認された再生時間が前記所定時間以上であるか否かを判別する判別手段からなる、請求項１に記載の記録メディア再生装置。
【請求項３】
前記メニューは、前記記録メディアに複数種類用意されており、前記タイトル選択手段は、一のメニューから前記主タイトルを選択できない場合、さらに他のメニューに移行して主タイトルの選択動作を実行する、請求項１または２に記載の記録メディア再生装置。
【請求項４】
前記タイトル選択手段により前記メニューから前記主タイトルを選択できない場合、当該メニューから選択可能で再生時間が所定時間未満のタイトルを複数回にわたり選択する第２のタイトル選択手段を更に備え、前記再生手段は、前記第２のタイトル選択手段により前記タイトルが選択される毎に当該タイトルに対応するタイトルセットデータを前記記録メディアから読み出し、当該タイトルセットデータに含まれるコンテンツを再生する動作を前記所定時間を経過するまで繰り返すことを特徴とする、請求項１または２に記載の記録メディア再生装置。
【請求項５】
複数の前記記録メディアを交換可能に保持する交換保持手段と、前記交換保持手段に保持された１の記録メディアに対して前記タイトル選択手段及び前記再生手段による主タイトルの再生動作が終了すると、記録メディアを他の記録メディアに交換し、当該他の記録メディアに対して前記タイトル選択手段及び前記再生手段による主タイトルの再生動作を行わせる再生制御手段とを更に備えたことを特徴とする、請求項１または２に記載の記録メディア再生装置。
【請求項６】
同一の記録メディアに対して前記タイトル選択手段及び前記再生手段による主タイトルの再生動作が終了すると、再度前記タイトル選択手段及び前記再生手段による主タイトルの再生動作を行わせる再生制御手段を備えたことを特徴とする、請求項１または２に記載の記録メディア再生装置。
【請求項７】
コンテンツをタイトル別に編集してなるタイトルセットデータと各タイトルの再生手順や所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置であって、
前記記録メディアから読み出した前記制御情報に基づいて本編たるタイトルのコンテンツを再生する前に複数の選択ボタンの表示を含む前記メニューが表示されたとき、当該メニューの選択内容を確定するための信号を発生させる信号生成手段と、
前記信号により前記メニューに表示された所定の選択ボタンの選択が確定されると、当該選択ボタンのタイトルに対応するタイトルセットデータを前記記録メディアから読み出して当該タイトルセットデータに含まれるコンテンツを再生する再生手段と、
を備えたことを特徴とする、記録メディア再生装置。
【請求項８】
前記信号生成手段は、前記メニューの表示から所定時間経過後に、前記信号を発生させる、請求項７に記載の記録メディア再生装置。
【請求項９】
前記信号生成手段は、前記記録メディアの読み出しを開始してからの経過時間が所定時間以上になるまでは、前記再生手段によるタイトルのコンテンツの再生の終了後に前記メニューが表示されたときにも当該メニューの選択内容を確定するための信号を発生させる、請求項７または８に記載の記録メディア再生装置。
【請求項１０】
前記メニューは、前記記録メディアに複数種類用意されており、前記信号生成手段は、前記記録メディアの読出しを開始してからの経過時間が所定時間以上になるまでは、メニューが表示される毎に前記信号を発生させる、請求項７に記載の記録メディア再生装置。
【請求項１１】
複数の前記記録メディアを交換可能に保持する交換保持手段と、前記交換保持手段に保持された１の記録メディアに対して、前記信号生成手段及び前記再生手段によるタイトルの再生動作が終了すると、記録メディアを他の記録メディアに交換し、当該他の記録メディアに対して前記信号生成手段及び前記再生手段によるタイトルの再生動作を行わせる再生制御手段とを更に備えたことを特徴とする、請求項７または８に記載の記録メディア再生装置。
【請求項１２】
同一の記録メディアに対して前記信号生成手段及び前記再生手段によるタイトルの再生動作が終了すると、再度前記信号生成手段及び前記再生手段によるタイトルの再生動作を行わせる再生制御手段を備えたことを特徴とする、請求項７または８に記載の記録メディア再生装置。
【請求項１３】
コンピュータを、コンテンツをタイトル別に編集してなるタイトルセットデータと各タイトルの再生時間や再生手順ならびに所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置として機能させるコンピュータプログラムであって、
前記コンピュータを、
前記記録メディアから読み出した前記制御情報に基づいて本編たるタイトルのコンテンツを再生する前に複数の選択ボタンの表示を含む前記メニューが表示されたとき、再生時間が所定時間以上の選択ボタンに対応するタイトルを主タイトルとして選択するタイトル選択手段と、
前記タイトル選択手段より主タイトルとして選択されたタイトルに対応するタイトルセットデータを前記記録メディアから読み出して当該タイトルセットデータに含まれるコンテンツを再生する再生手段と、
して機能させることを特徴とする、記録メディア再生用のコンピュータプログラム。
【請求項１４】
コンピュータを、コンテンツをタイトル別に編集してなるタイトルセットデータと各タイトルの再生手順や所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置として機能させるコンピュータプログラムであって、
前記コンピュータを、
前記記録メディアから読み出した前記制御情報に基づいて本編たるタイトルのコンテンツを再生する前に複数の選択ボタンの表示を含む前記メニューが表示されたとき、当該メニューの選択内容を確定するための信号を発生させる信号生成手段と、
前記信号により前記メニューに表示された所定の選択ボタンの選択が確定されると、当該選択ボタンのタイトルに対応するタイトルセットデータを前記記録メディアから読み出して当該タイトルセットデータに含まれるコンテンツを再生する再生手段と、
して機能させることを特徴とする、記録メディア再生用のコンピュータプログラム。
【発明の詳細な説明】
【技術分野】  本発明は、例えばＤＶＤ（Ｄｉｇｉｔａｌ  Ｖｅｒｓａｔｉｌｅ  Ｄｉｓｃ）ディスクからタイトルセットデータと制御情報とを読み出してコンテンツを再生する記録メディア再生装置、及びそのような機能を備えたコンピュータに所定の手順を実行させるための記録メディア再生用のコンピュータプログラムに関する。
【背景技術】  ディスク再生装置にはシングルディスクプレーヤとマルチディスクチェンジャーがある。シングルディスクプレーヤはディスクを１枚だけセットでき、そのディスクのみを再生する。マルチディスクチェンジャーは複数枚のディスクをセットでき、それらのディスクを連続して再生することができる。マルチディスクチェンジャーは、セットされた複数枚のディスクについてユーザが予め再生順を指定しておくと、各ディスクの再生が終了する毎に自動的に次のディスクの再生動作を行う。
マルチディスクチェンジャーは、シングルディスクプレーヤのように、ディスクの再生が終了する毎にユーザが手動でディスクの交換をする手間を要しない。従って、マルチディスクチェンジャーは、複数枚のディスクに記録された複数の音楽や映画などを連続して再生したい場合や複数枚のディスクに分割して記録された長編映画などを再生する場合に便利である。
しかし、例えば映画を収録したＤＶＤディスクの場合、一般に映画の本編を構成するコンテンツ（映像や音響等）に加え、特典映像（例えば本編ではカットされたＮＧシーンなどの映像等）や、宣伝告知映像等といった本編とは別のコンテンツが収録され、最初にこれらのコンテンツの中から再生すべきコンテンツを選択するためのメニューが表示されるようになっているため、マルチディスクチェンジャーで複数枚のＤＶＤディスクを連続再生させるように再生順を指定しても各ディスクの再生当初に必ずメニューが表示され、実質的に連続再生をさせることができないという不都合がある。
例えば１本の映画がＤＶＤディスクＡとＤＶＤディスクＢに分割して記録され、かつ、各ＤＶＤディスクに本編以外の特典映像や宣伝告知映像が記録されている場合、ＤＶＤディスクＡの本編（前編）を再生した後、次に再生すべきディスクとしてＤＶＤディスクＢが自動的に交換されてもＤＶＤディスクＢで最初に表示されるメニューにおいて本編（後編）の再生をユーザが選択しなければ、そのメニューが表示されて選択操作待ちの状態になり、ＤＶＤディスクＡの前編に続いてＤＶＤディスクＢの後編を連続再生することはできない。
また、ＤＶＤディスクによっては、コンテンツの再生が終了すると自動的にメニューを表示させ、次に再生すべきコンテンツ若しくは再生終了の選択操作待ちになるものもある。マルチディスクチェンジャーにセットされた２枚のＤＶＤディスクＡ，Ｂがこの種のもので、両ＤＶＤディスクＡ，Ｂに分割して映画が記録されている場合は、ＤＶＤディスクＡに記録された前編の再生が終了しても、ユーザがメニューで再生終了を選択しない限り、ＤＶＤディスクＢの再生動作に移行せず、この場合もディスクＡの前編に続いてディスクＢの後編を連続して再生することはできない。
コンテンツの再生終了後にメニューを表示させるタイプの複数枚のＤＶＤディスクを連続再生する際の上記課題に対しては、出願人は、既に解決方法を提案している（日本国特開２００１−３５１３１２号公報）。この解決方法は、本編（主タイトル）の再生後にメニューが表示されても、タイトル再生時間が所定の基準時間を超えていれば、マルチディスクチェンジャーで本編の再生が終了した判断し、本編再生後にメニュー表示で静止した状態になることなく自動的に次のディスクに交換させるというものである。
しかしながら、この解決方法は、ＤＶＤディスクＡに記録された前編の再生終了後にＤＶＤディスクＢへの交換は自動で行い得るものの、ＤＶＤディスクＢの再生当初にメニューが表示されると、ユーザがそのメニューに対して後編の再生を選択しない限り、ＤＶＤディスクＢに記録された後編を連続して再生させることはできない。
従って、日本国特開２００１−３５１３１２号公報に記載の発明では、コンテンツの再生前にメニューが表示され、再生すべきコンテンツの選択待ちとなるＤＶＤディスクを連続再生させる場合の上述した問題を解決し得るものではない。
この問題は、最初にメニューが表示され、ユーザによる再生すべきコンテンツの選択操作待ちの状態で停止するタイプのＤＶＤディスクをシングルディスクプレーヤで再生させる場合にも生じ得る。すなわち、シングルディスクプレーヤにＤＶＤディスクをローディングした後、直ちに本編を再生してほしい場合にもメニューが表示され、ユーザがそのメニューに対して本編再生の選択をしない限り、本編の再生は開始されない。また、同一のＤＶＤディスクに記録された映画をシングルディスクプレーヤで何回も繰り返して見たい場合も、ユーザは、本編の再生が終了し、メニューが表示される毎に本編再生の選択が強いられ、その選択操作に煩わされることになる。
また、日本国特開２００２−７４９０８号公報には、ディスク交換時にメニューを表示することなく、無条件に本編を再生することにより、再生が途中で停止することを防止したＤＶＤオートチェンジャーが提案されている。しかし、この方法は、メニューを表示するというディスク制作者の意図を無視したもの（ナビゲーション違反）となってしまう。すなわち、このようなディスク制作者の意図を無視して、メニューを表示しないＤＶＤオートチェンジャーは許可されていない。
【発明の開示】
本発明は、上記従来技術の問題点を解消し、または抑制し得る記録メディア再生装置及びコンピュータをそのような記録メディア再生装置として動作させるためのコンピュータプログラムを提供することをその目的としている。
本発明の第１の側面において提供される記録メディア再生装置は、コンテンツをタイトル別に編集してなるタイトルセットデータと各タイトルの再生時間や再生手順ならびに所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置であって、前記記録メディアから読み出した前記制御情報に基づいて本編たるタイトルのコンテンツを再生する前に複数の選択ボタンの表示を含む前記メニューが表示されたとき、再生時間が所定時間以上の選択ボタンに対応するタイトルを主タイトルとして選択するタイトル選択手段と、前記タイトル選択手段より主タイトルとして選択されたタイトルに対応するタイトルセットデータを前記記録メディアから読み出して当該タイトルセットデータに含まれるコンテンツを再生する再生手段と、を備えたことを特徴としている。
好ましくは、前記タイトル選択手段は、各選択ボタンに対応するコマンドの内容を確認するコマンド確認手段と、前記コマンド確認手段によりコマンドの内容がタイトルの再生であると確認されたとき、その選択ボタンに対応するタイトルの再生時間を確認する再生時間確認手段と、前記再生時間確認手段により確認された再生時間が前記所定時間以上であるか否かを判別する判別手段とで構成するとよい。
好ましくは、前記メニューは、前記記録メディアに複数種類用意されており、前記タイトル選択手段は、一のメニューから前記主タイトルを選択できない場合、さらに他のメニューに移行して主タイトルの選択動作を実行するとよい。
好ましくは、前記タイトル選択手段により前記メニューから前記主タイトルを選択できない場合、当該メニューから選択可能で再生時間が所定時間未満のタイトルを複数回にわたり選択する第２のタイトル選択手段を更に備え、前記再生手段は、前記第２のタイトル選択手段により前記タイトルが選択される毎に当該タイトルに対応するタイトルセットデータを前記記録メディアから読み出し、当該タイトルセットデータに含まれるコンテンツを再生する動作を前記所定時間を経過するまで繰り返すようにするとよい。
好ましくは、複数の前記記録メディアを交換可能に保持する交換保持手段と、前記交換保持手段に保持された１の記録メディアに対して前記タイトル選択手段及び前記再生手段による主タイトルの再生動作が終了すると、記録メディアを他の記録メディアに交換し、当該他の記録メディアに対して前記タイトル選択手段及び前記再生手段による主タイトルの再生動作を行わせる再生制御手段とを更に備えるとよい。
好ましくは、同一の記録メディアに対して前記タイトル選択手段及び前記再生手段による主タイトルの再生動作が終了すると、再度前記タイトル選択手段及び前記再生手段による主タイトルの再生動作を行わせる再生制御手段を備えるとよい。
本発明の第２の側面において提供される記録メディア再生装置は、コンテンツをタイトル別に編集してなるタイトルセットデータと各タイトルの再生手順や所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置であって、前記記録メディアから読み出した前記制御情報に基づいて本編たるタイトルのコンテンツを再生する前に複数の選択ボタンの表示を含む前記メニューが表示されたとき、当該メニューの選択内容を確定するための信号を発生させる信号生成手段と、前記信号により前記メニューに表示された所定の選択ボタンの選択が確定されると、当該選択ボタンのタイトルに対応するタイトルセットデータを前記記録メディアから読み出して当該タイトルセットデータに含まれるコンテンツを再生する再生手段と、を備えたことを特徴とする。
好ましくは、前記信号生成手段は、前記メニューの表示から所定時間経過後に、前記信号を発生させるとよい。
好ましくは、前記信号生成手段は、前記記録メディアの読み出しを開始してからの経過時間が所定時間以上になるまでは、前記再生手段によるタイトルのコンテンツの再生の終了後に前記メニューが表示されたときにも当該メニューの選択内容を確定するための信号を発生させるとよい。
前記メニューは、前記記録メディアに複数種類用意されており、前記信号生成手段は、前記記録メディアの読出しを開始してからの経過時間が所定時間以上になるまでは、メニューが表示される毎に前記信号を発生させるとよい。
好ましくは、複数の前記記録メディアを交換可能に保持する交換保持手段と、前記交換保持手段に保持された１の記録メディアに対して、前記信号生成手段及び前記再生手段によるタイトルの再生動作が終了すると、記録メディアを他の記録メディアに交換し、当該他の記録メディアに対して前記信号生成手段及び前記再生手段によるタイトルの再生動作を行わせる再生制御手段とを更に備えるとよい。
好ましくは、同一の記録メディアに対して前記信号生成手段及び前記再生手段によるタイトルの再生動作が終了すると、再度前記信号生成手段及び前記再生手段によるタイトルの再生動作を行わせる再生制御手段を備えるとよい。
本発明の第３の側面において提供される、記録メディア再生用のコンピュータプログラムは、コンピュータを、コンテンツをタイトル別に編集してなるタイトルセットデータと各タイトルの再生時間や再生手順ならびに所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置として機能させるコンピュータプログラムであって、前記コンピュータを、前記記録メディアから読み出した前記制御情報に基づいて本編たるタイトルのコンテンツを再生する前に複数の選択ボタンの表示を含む前記メニューが表示されたとき、再生時間が所定時間以上の選択ボタンに対応するタイトルを主タイトルとして選択するタイトル選択手段と、前記タイトル選択手段より主タイトルとして選択されたタイトルに対応するタイトルセットデータを前記記録メディアから読み出して当該タイトルセットデータに含まれるコンテンツを再生する再生手段として機能させることを特徴とする。
本発明の第４の側面において提供される、記録メディア再生用のコンピュータプログラムは、コンピュータを、コンテンツをタイトル別に編集してなるタイトルセットデータと各タイトルの再生手順や所望のタイトルをユーザに選択させるためのメニューを含む制御情報とが記録された記録メディアから前記タイトルセットデータと制御情報とを読み出し、当該制御情報に基づいて当該タイトルセットデータに含まれるコンテンツを再生する記録メディア再生装置として機能させるコンピュータプログラムであって、前記コンピュータを、前記記録メディアから読み出した前記制御情報に基づいて本編たるタイトルのコンテンツを再生する前に複数の選択ボタンの表示を含む前記メニューが表示されたとき、当該メニューの選択内容を確定するための信号を発生させる信号生成手段と、前記信号により前記メニューに表示された所定の選択ボタンの選択が確定されると、当該選択ボタンのタイトルに対応するタイトルセットデータを前記記録メディアから読み出して当該タイトルセットデータに含まれるコンテンツを再生する再生手段として機能させることを特徴とする。
本発明によれば、ローディング後に本編再生前にメニューが表示される記録メディアであってもメニューの表示で停止することがなく、ユーザは本編再生の選択動作をすることなく直ちに本編の内容を鑑賞することができる。
本発明のその他の特徴及び利点については、以下に行う発明の実施の形態の説明から、より明らかになるであろう。
【図面の簡単な説明】  図１は、本発明の第１実施例に係る記録メディア再生装置を示すシステム構成図である。
図２は、ＤＶＤディスクのフォーマット構成図である。
図３は、マルチディスクチェンジャーの機能ブロック図である。
図４は、連続再生モードでの処理手順を示すフローチャートである。
図５は、メニューの表示例を示す図である。
図６は、メニューの表示例を示す図である。
図７は、第２実施例に係るマルチディスクチェンジャーの機能ブロック図である。
図８は、第２実施例に係るマルチディスクチェンジャーの連続再生モードでの処理手順を示すフローチャートである。
図９は、第３実施例に係るシングルディスクプレーヤの単純な再生モードでの処理手順を示すフローチャートである。
【発明を実施するための最良の形態】  以下、本発明の好ましい実施の形態について、図面を参照しつつ具体的に説明する。
図１は、本発明の第１実施例に係る記録メディア再生装置を示すシステム構成図である。記録メディア再生装置は、複数枚のディスクをセットすることができ、セットされた複数枚のディスクを自動的に交換して再生をすることができるマルチディスクチェンジャー１からなる。マルチディスクチェンジャー１には、映像や音響を出力可能なテレビジョン装置２がケーブル４を介して接続される。マルチディスクチェンジャー１には種々の動作指令を入力するためのリモコン３が付属している。ユーザは、本体の操作パネルだけでなく、リモコン３を用いてマルチディスクチェンジャー１の種々の動作指令を入力することができる。
なお、本実施例で言う「再生」とは、ディスクから読み出したディジタル信号に基づいて映像（ビデオ）信号や音響（オーディオ）信号をテレビジョン装置２に供給するまでのマルチディスクチェンジャー１の動作を意味する。マルチディスクチェンジャー１は、ＤＶＤディスク専用ではなく、ビデオＣＤやＣＤ−ＤＡについても再生可能であるが、本実施例では便宜上、ＤＶＤディスクのみを再生する場合について説明する。
図２は、ＤＶＤディスクのフォーマット構成図である。ＤＶＤディスク１００の記録領域は、リードインエリア（Ｌｅａｄ  ｉｎ  Ａｒｅａ）１１０、ボリューム＆ファイルストラクチャ（ｖｏｌｕｍｅ  ＆  Ｆｉｌｅ  Ｓｔｒｕｃｔｕｒｅ）１１１、ＤＶＤビデオゾーン（ＤＶＤ  Ｖｉｄｅｏ  Ｚｏｎｅ）１１２、ＤＶＤアザーゾーン（ＤＶＤ  Ｏｔｈｅｒ  Ｚｏｎｅ）１１３、リードアウトエリア（Ｌｅａｄ  ｏｕｔ  Ａｒｅａ）１１４からなる。
リードインエリア１１０には、最初に読み出すべきデータのスタート位置が記録されている。ボリューム＆ファイルストラクチャ１１１には、ＵＤＦ（Ｕｎｉｖｅｒｓａｌ  Ｄｉｓｋ  Ｆｏｒｍａｔ）に関する情報が記録されている。ＤＶＤビデオゾーン１１２には、ＶＭＧ（Ｖｉｄｅｏ  Ｍａｎａｇｅｒ）１２０と複数のＶＴＳ（Ｖｉｄｅｏ  Ｔｉｔｌｅ  Ｓｅｔ）１２１…が記録されている。ＤＶＤアザーゾーン１１３には、ＤＶＤビデオゾーン１１２以外のデータが記録されている。リードアウトエリア１１４には、ＤＶＤディスク１００へのアクセス終了を示す情報が記録されている。
ＶＭＧ１２０は、ＶＭＧＩ（Ｖｉｄｅｏ  Ｍａｎａｇｅｒ  Ｉｎｆｏｒｍａｔｉｏｎ）１３０、ＶＭＧＭ＿ＶＯＢＳ（Ｖｉｄｅｏ  Ｏｂｊｅｃｔ  Ｓｅｔ  ｆｏｒ  ＶＭＧ  Ｍｅｎｕ）１３１、バックアップ用のＶＭＧＩ（ＢＵＰ）１３２からなる。ＶＴＳ１２１は、ＶＴＳＩ（Ｖｉｄｅｏ  Ｔｉｔｌｅ  Ｓｅｔ  Ｉｎｆｏｒｍａｔｉｏｎ）１３５、ＶＴＳＭ＿ＶＯＢＳ（Ｖｉｄｅｏ  Ｏｂｊｅｃｔ  Ｓｅｔ  ｆｏｒ  ｔｈｅ  ＶＴＳ  Ｍｅｎｕ）１３６、ＶＴＳＴＴ＿ＶＯＢＳ（Ｖｉｄｅｏ  Ｏｂｊｅｃｔ  Ｓｅｔ  ｆｏｒ  Ｔｉｔｌｅｓ  ｉｎ  ａ  ＶＴＳ）１３７、及びバックアップ用のＶＴＳＩ（ＢＵＰ）１３８からなる。
ＶＭＧＩ１３０は、ＤＶＤビデオゾーン１１２全体についての制御情報からなる。ＶＭＧＩ１３０に含まれる情報としては、ＤＶＤディスク１００全体に関する各種情報や、ＤＶＤディスク１００全体に対するメニューについての再生手順がある。また、ＶＭＧＩ１３０には、ＤＶＤディスク１００からデータを読み始める際に実行すべきコマンド等が含まれる。ＶＭＧＩ（ＢＵＰ）１３２は、上記ＶＭＧＩ１３０と完全に同一の内容からなる。
ＶＭＧＭ＿ＶＯＢＳ１３１は、上記ＤＶＤディスク１００全体に対するメニューの映像データ及び音声データ、また、そのメニュー内のボタンに関する制御情報等で構成される。
ＶＴＳＩ１３５は、当該ＶＴＳＩ１３５が含まれるＶＴＳ１２１内のタイトルの再生に関する制御情報からなる。ＶＴＳＩ１３５には、後述するＣｅｌｌ１５０…についての再生手順や各Ｃｅｌｌ１５０…の再生時間に関する情報が含まれる。また、ＶＴＳＩ１３５には、Ｃｅｌｌ１５０を再生する前に実行すべきプリコマンドや、最後のＣｅｌｌ１５０の再生後に実行すべきポストコマンドが含まれる。ＶＴＳＩ１３５には、当該ＶＴＳＩ１３５とともにＶＴＳ１２１内に含まれるタイトルの情報及び当該タイトル選択用のメニューに関する情報が含まれている。ＶＴＳＩ（ＢＵＰ）１３８は、上記ＶＴＳＩ１３５と完全に同一の内容からなる。
ＶＴＳＭ＿ＶＯＢＳ１３６は、ＶＴＳ１２１内に含まれるタイトルに関する各種選択用のメニューの映像データ及び音声データ、また、そのメニュー内のボタンに関する制御情報等で構成される。
ＶＴＳＴＴ＿ＶＯＢＳ１３７は、タイトルとして再生される映像及び音響データ、さらには字幕データ等からなる。タイトルは、一つ以上のＣｅｌｌ１５０で構成されており、これらＣｅｌｌ１５０の再生手順がＶＴＳＩ１３５に記述されている。さらに、複数のＣｅｌｌ１５０…によりＶＯＢファイル１４０が構成されている。
図３は、マルチディスクチェンジャー１の機能ブロック図である。マルチディスクチェンジャー１は、システム制御部１０、ディスク交換保持部１１、回転駆動部１２、ピックアップ部２０、信号処理回路２１、オーディオデコーダ２２とそのＤＡコンバータ２３、ビデオデコーダ２４、ＮＴＳＣ／ＰＡＬエンコーダ２５とそのＤＡコンバータ２６、タイトル選択部３０、操作部４０、表示部４１、及びリモコン信号受信部４２を有して構成される。
システム制御部１０には、ディスク交換保持部１１、回転駆動部１２、ピックアップ部２０、信号処理回路２１、タイトル選択部３０、操作部４０、表示部４１、及びリモコン信号受信部４２が接続される。ピックアップ部２０の出力端は、信号処理回路２１の入力端に接続される。信号処理回路２１は、オーディオデコーダ２２及びＤＡコンバータ２３を経て図外のテレビジョン装置２にオーディオ信号を送るためのオーディオ出力ラインと、ビデオデコーダ２４、ＮＴＳＣ／ＰＡＬエンコーダ２５、及びＤＡコンバータ２６を経てテレビジョン装置２にビデオ信号を送るためのビデオ出力ラインに通じる。なお、タイトル選択部３０は、システム制御部１０の一機能であるが、本発明の要部をなすためシステム制御部１０とは切り離したかたちで示す。
システム制御部１０は、マイクロコンピュータからなり、マルチディスクチェンジャー１全体の動作を制御する。マイクロコンピュータは、ＣＰＵ、ＲＯＭ、ＲＡＭ等からなり、ＲＯＭには、ＣＰＵに所定の手順を実行させるためのプログラムが格納されている。
ディスク交換保持部１１は、複数枚のＤＶＤディスク１００…をセット可能なターンテーブルやテーブル回転用のモータ等からなる。このディスク交換保持部１１は、システム制御部１０の指令に応じてピックアップ部２０上のＤＶＤディスク１００を交換する。
回転駆動部１２は、ディスク回転用のスピンドルモータやその駆動回路等からなり、システム制御部１０の指令に応じてピックアップ部２０上のＤＶＤディスク１００を回転させる。
ピックアップ部２０は、ＤＶＤディスク１００から信号を読み出すための光学部品やサーボ機構等からなり、システム制御部１０の指令に応じてＤＶＤディスク１００から読み出した信号を信号処理回路２１に出力する。
信号処理回路２１は、ＤＶＤディスク１００から読み出した信号を復調し、誤り訂正し、さらにはオーディオデータ、ビデオデータに分離してそれぞれ対応する出力先にそれらを送出する。また、信号処理回路２１は、ＤＶＤディスク１００から読み出した制御情報（ＶＭＧＩ１３０あるいはＶＴＳＩ１３５）をシステム制御部１０に伝える。
オーディオデコーダ２２は、信号処理回路２１から送られてきたオーディオデータを復元する。復元後のオーディオデータは、さらにＤＡコンバータ２３でアナログのオーディオ信号に変換されてテレビジョン装置２へと出力される。これにより、テレビジョン装置２のスピーカから音響が出力される。
ビデオデコーダ２４は、信号処理回路２１から送られてきたビデオデータを復元する。復元後のビデオデータは、ＮＴＳＣ／ＰＡＬエンコーダ２５でＮＴＳＣあるいはＰＡＬ形式のデータにエンコードされ、さらにＤＡコンバータ２６でアナログのビデオ信号に変換されてテレビジョン装置２へと出力される。これにより、テレビジョン装置２の画面に映像が出力される。
上記のシステム制御部１０、ピックアップ部２０、信号処理回路２１、オーディオデコーダ２２、ＤＡコンバータ２３、ビデオデコーダ２４、ＮＴＳＣ／ＰＡＬエンコーダ２５、及びＤＡコンバータ２６は、ＤＶＤディスク１００からオーディオデータやビデオデータを読み出して元のオーディオ信号やビデオ信号を再生する再生部２００を構成する。
タイトル選択部３０は、後述する連続再生モードがユーザにより選択されている場合、信号処理回路２１からシステム制御部１０へと制御情報が送られてくると、その制御情報の内容を分析する。そして、その制御情報に基づいて表示されるメニュー内のボタンのうち、再生時間が例えば３０分以上あるいは１時間以上のタイトル（以下、「主タイトル」と呼ぶ。）に係るボタンを探し出す。そのボタンがあると、それに対応するボタンコマンドを選択して自動的に実行する。これにより、通常のＤＶＤディスク１００では、本編再生前にメニューが表示されても自動的に本編に該当する主タイトルが再生される。
操作部４０は、例えば再生開始／再生停止等の操作キーや各種選択用の操作キー（確定入力用の「Ｅｎｔｅｒ」キーを含む）等からなり、各キーの操作信号をシステム制御部１０に伝える。また、操作部４０には、複数枚のＤＶＤディスク１００を順次交換しながら連続再生する連続再生モードをユーザが選択するための連続再生選択キーも設けられており、この連続再生選択キーをオンにすることでシステム制御部１０が連続再生モードに応じた制御を行う。
表示部４１は、ＤＶＤディスク１００の再生状態を表示するものであり、システム制御部１０により制御される。
リモコン信号受信部４２は、リモコン３からの操作信号を無線で受信するものである。特に図示しないが、リモコン３にも、各種の操作キーや連続再生選択キーが設けられており、リモコン３から各キーの操作信号をリモコン信号受信部４２が受信すると、その操作信号がシステム制御部１０に伝えられる。
次に、マルチディスクチェンジャー１の動作について説明する。
図４は、連続再生モードでの処理手順を示すフローチャートである。図５及び図６は、メニューの表示例を示す図である。ユーザが複数枚のＤＶＤディスク１００…をディスク交換保持部１１にセットした後、連続再生モードを選択して再生を開始させると、ピックアップ部２０は、そのうちの１枚のＤＶＤディスク１００から信号を読み出し始める（ステップＳ１）。最初の信号としては、ＶＭＧＩ１３０が読み出され、このＶＭＧＩ１３０が信号処理回路２１を経てシステム制御部１０に送られる。このような動作は、一般に「ローディング」と呼ばれる。
システム制御部１０は、ＶＭＧＩ１３０の内容に基づき、最初にタイトルを再生するのか、メニューを表示させるのか、あるいはそれらのどちらも行わずに停止状態とするのかを判断する（ステップＳ２，ステップＳ３）。
最初にメニューを表示させる場合（ステップＳ２：ＮＯ，ステップＳ３：ＹＥＳ）、システム制御部１０は、ピックアップ部２０及び信号処理回路２１を通じてメニューに関する映像データ及び音声データであるＶＭＧＭ＿ＶＯＢＳ１３１もしくはＶＴＳＭ＿ＶＯＢＳ１３６をＤＶＤディスク１００から読み出す。
メニューの映像データ及び音声データに基づく信号がテレビジョン装置２に出力されると、テレビジョン装置２の画面には、図５に示すように、メニューが表示される。メニューが表示されてボタン表示状態になると、そのメニュー内のボタンを選択する等といった入力操作が可能な状態となり（ステップＳ４：ＹＥＳ）、システム制御部１０は、さらにメニューのボタンに関する情報を参照して、そのメニュー内の第１選択ボタンに対応するボタンコマンドの内容を確認する（ステップＳ５）。
ここでいう「第１選択ボタン」とは、メニューで最初に選択し得るボタンを意味する。図５に示すメニューでは、「本編」を選択するボタンＢ１、「予告編」を選択するボタンＢ２、「ＮＧシーン」を選択するボタンＢ３、「再生の終了」を選択するボタンＢ４を表示内容とするが、それらのうち反転表示された「本編」を選択するボタンＢ１が「第１選択ボタン」に相当する。
第１選択ボタンに対応するボタンコマンドがタイトルの再生を実行するジャンプコマンドである場合（ステップＳ６：ＹＥＳ）、システム制御部１０は、ＶＭＧＩ１３０及びタイトルの含まれるＶＴＳＩ１３５を参照してそのジャンプコマンドに対応するタイトルの再生時間を確認する（ステップＳ７）。
ジャンプコマンドに対応するタイトルの再生時間が所定時間以上の場合（ステップＳ８：ＹＥＳ）、システム制御部１０は、そのタイトルを主タイトルとしてＤＶＤディスク１００から読み出し、信号処理回路２１等を通じて主タイトルを再生させる（ステップＳ９）。ここで、あらかじめ定められている所定時間は、例えば３０分あるいは１時間といった時間長からなる。そのため、例えば映画が収録されたＤＶＤディスク１００の場合、主タイトルとしては、映画の本編を構成するタイトルが読み出される。
主タイトルに係るタイトルを再生すると、そのタイトルが含まれるＶＴＳ１２１内のＶＴＳＩ１３５に基づいてＶＴＳＴＴ＿ＶＯＢＳ１３７が信号処理回路２１で処理され、オーディオ信号及びビデオ信号がテレビジョン装置２に出力される。つまり、テレビジョン装置２のスピーカからは、主タイトルに係る音響が出力され、それと同時にテレビジョン装置２の画面には、主タイトルに係る映像が映し出される。
主タイトルを再生し終わると、システム制御部１０は、ＶＴＳＩ１３５に含まれるポストコマンドを参照し、メニューを表示させるのか否かを判断する（ステップＳ１０）。
メニューを表示させる場合（ステップＳ１０：ＹＥＳ）、システム制御部１０は、再びＶＭＧＭ＿ＶＯＢＳ１３１もしくはＶＴＳＭ＿ＶＯＢＳ１３６をＤＶＤディスク１００から読み出し、メニューを一時的に表示させてすぐにその表示を終了させる（ステップＳ１１）。
その後、システム制御部１０は、ＤＶＤディスク１００の回転を停止させてディスク交換保持部１１にＤＶＤディスク１００を交換させる（ステップＳ１２）。そうした後、システム制御部１０は、再びステップＳ１に戻って交換後のＤＶＤディスク１００に対して一連の処理を繰り返し行う。
ステップＳ１０において、メニューを表示させることなく停止状態とする場合（ステップＳ１０：ＮＯ）、システム制御部１０は、ステップＳ１１をスキップしてステップＳ１２に進む。
ステップＳ８において、ジャンプコマンドに対応するタイトルの再生時間が所定時間以上もなく（ステップＳ８：ＮＯ）、メニュー内の全ての選択ボタンに対応するボタンコマンドの内容を確認済みとした場合（ステップＳ１３：ＹＥＳ）、システム制御部１０は、第１選択ボタンに対応するボタンコマンドを実行し（ステップＳ１４）、ステップＳ３に戻る。そうした場合、第１選択ボタンに対応するボタンコマンドに基づくデータがＤＶＤディスク１００から読み出される。これにより、テレビジョン装置２の画面には、図５に示すメニューとは異なる図６に示すメニューが表示される。もしくは、タイトルが再生される。
ステップＳ１３において、全てのボタンコマンドの内容を確認済みでない場合（ステップＳ１３：ＮＯ）、システム制御部１０は、メニュー内の第１選択ボタンの次にある選択ボタンに対応するボタンコマンドの内容を確認し（ステップＳ１５）、ステップＳ６に進む。これは、ＤＶＤディスク１００の編集内容によっては主タイトルが第２以降の選択ボタンに割り当てられていることもあるからである。
ステップＳ６において、第１選択ボタンに対応するボタンコマンドがタイトルの再生を実行するジャンプコマンドではなく、さらにメニューの表示を実行するといったコマンドの場合（ステップＳ６：ＮＯ）、システム制御部１０は、第１選択ボタンを無視して次の選択ボタンに対応するボタンコマンドの内容を確認すべくステップＳ１３に進む。
ステップＳ４において、入力操作が可能な状態になるまでは（ステップＳ４：ＮＯ）、システム制御部１０は、次のステップＳ５に進まない。つまり、メニューが一時的に表示された上で連続再生が行われる。
ステップＳ２，ステップＳ３において、最初にメニューを表示させることなく、停止状態の場合（ステップＳ２：ＹＥＳ）、あるいはタイトルの再生を行う場合（ステップＳ３：ＮＯ）、システム制御部１０は、最初に再生すべきタイトルをＤＶＤディスク１００から読み出し、信号処理回路２１等を通じてそのタイトルを自動的に再生させる（ステップＳ１６）。
また、ステップＳ３：ＹＥＳを経て１回あるいは２回以上メニューを表示させた後、最終的にステップＳ１４で第１選択ボタンに対応するボタンコマンドを実行すると、そのボタンコマンドに基づき所定時間未満の再生時間からなるタイトルがＤＶＤディスク１００から読み出されることもあるが、このような場合もシステム制御部１０は、所定時間未満のタイトルを自動的に再生させる（ステップＳ１６）。
ステップＳ１６を経てタイトルの再生中、システム制御部１０は、その再生開始から実際に経過した再生時間をカウントしている（ステップＳ１７）。
タイトルの再生が終了すると、実際の再生時間が所定時間以上であるか否かを判断する（Ｓ１８）。タイトルの再生が終了した際に、実際の再生時間が所定時間未満である（実際の再生時間が所定時間以上になる前にタイトルの再生が終わる）と（ステップＳ１８：ＮＯ）、システム制御部１０は、再びステップＳ３に戻る。
一方、タイトルの再生が終了した際に、実際の再生時間が所定時間以上であると（ステップＳ１８：ＹＥＳ）、システム制御部１０は、ステップＳ１２に進んでＤＶＤディスク１００を交換させる。ここでいう所定時間も、例えば３０分あるいは１時間といった時間長からなる。つまり、最初にメニューが表示されることなくタイトルの再生がすぐに行われる場合、あるいは最初に表示されたメニューからは再生時間が所定時間未満のタイトルしか選択できない場合でも、実際の再生時間が所定時間以上になるまで１または２以上のタイトルが再生される。
なお、メニューで所定時間未満のタイトルしか選択できず（ステップＳ１４）、かつ、所定時間になるまで２以上のタイトルを再生する場合（ステップＳ１８：ＮＯを経てステップＳ１４）、２回目に再生するタイトルは、１回目に再生したタイトルとは異なるようにしても良い。すなわち、第１選択ボタンの次にある第２選択ボタンを選択するようにしても良い。
従って、上記第１実施例に係るマルチディスクチェンジャー１によれば、例えば映画の本編再生に先立って最初にメニューを表示させるＤＶＤディスク１００でも、連続再生モード時にメニューの表示で止まったままになることなく、ユーザが何ら操作せずともメニューの表示から本編に相当する主タイトルの再生に自動的に移行するので、複数枚のＤＶＤディスク１００を自動的に交換しながら繰り返し連続再生することができる。
すなわち、日本国特開２００３−７４９０８号公報では、例えば主タイトルが最初のＶＳＴに存在しない場合、主タイトルを探す方法が記載されていないので、主タイトルを確実に再生できるとは限らないが、本実施形態では、タイトルの再生時間を確認して主タイトルか否かを判断しているので、確実に主タイトルを自動的に再生することができる。
また、あるメニューでは本編を選択できずに他のメニューから本編を選択し得るように編集されたＤＶＤディスク１００でも、図４に示すフローチャートでステップＳ３からステップＳ１４を経て再びステップＳ３に戻るといった一連の動作を繰り返すことで本編に相当する主タイトルを探し出すことができ、その主タイトルの再生を自動的に行うことができる。
また、比較的再生時間の短い複数のタイトル（シーン）しか収録されていないＤＶＤディスク１００でも、それらのタイトルを自動的に再生した上で、タイトルの再生を終了した際に、実際の再生時間が所定時間以上であるとそのＤＶＤディスク１００を自動的に交換するので、連続再生モード中にユーザが何らかの操作を行うことなく繰り返し連続再生することができる。
もちろん、最初にメニューを表示させずに本編を再生させるＤＶＤディスク１００にも対応することができ、そのような本編に係るタイトルを自動的に再生した上で実際の再生時間が所定時間以上になるとそのＤＶＤディスク１００を自動的に交換することができる。
次に、本発明の第２実施例について説明する。
図７は、本発明の第２実施例に係るマルチディスクチェンジャーの機能ブロック図である。なお、第２実施例に係るマルチディスクチェンジャーは、第１実施例に係るマルチディスクチェンジャー１と略同様の構成からなるため、同じ機能ブロックについては同一符号を付してその説明を省略する。
第２実施例に係るマルチディスクチェンジャーは、第１実施例に係るマルチディスクチェンジャー１のタイトル選択部３０に代えて信号生成部５０を有する。
信号生成部５０は、システム制御部１０とは別体とされ、「Ｅｎｔｅｒ」キーを押した場合に生じる信号と同じ入力信号を自動的に発生させてシステム制御部１０に入力する。具体的には、連続再生モードがユーザにより選択されている場合、ＤＶＤディスク１００から信号を読み出し始めて最初にメニューを表示することがシステム制御部１０から信号生成部５０に伝えられると、信号生成部５０は、例えば３０秒経過後に「Ｅｎｔｅｒ」キー入力信号を自動的に発生させてシステム制御部１０に入力する。メニューの表示を始めてから３０秒が経過すると、システム制御部１０は、何らかの入力操作を受付可能な状態となり、そうした状態で信号生成部５０から「Ｅｎｔｅｒ」キー入力信号を受けると、それに応じた制御を行う。
例えば、先の図５に示すようなメニューが表示された状態にあって、そのメニュー内の第１選択ボタン（「本編」を選択するボタンＢ１）に反転表示されている場合、システム制御部１０は、信号生成部５０からの「Ｅｎｔｅｒ」キー入力信号に応じて第１選択ボタンに対応するボタンコマンドを実行する。つまり、本編の再生が自動的に行われる。
次に、第２実施例に係るマルチディスクチェンジャーの動作について説明する。
図８は、第２実施例による連続再生モードでの処理手順を示すフローチャートである。複数枚のＤＶＤディスク１００…をディスク交換保持部１１にセットした後、連続再生モードを選択して再生を開始させると、そのうちの１枚のＤＶＤディスク１００からピックアップ部２０が信号を読み出し始める（ステップＳ５１）。最初の信号としては、ＶＭＧＩ１３０が読み出され、このＶＭＧＩ１３０が信号処理回路２１を経てシステム制御部１０に送られる。
そして、システム制御部１０は、ＶＭＧＩ１３０の内容に基づき最初にメニューを表示させるのか否かを判断する（ステップＳ５２）。最初にメニューを表示させる場合（ステップＳ５２：ＹＥＳ）、システム制御部１０は、ピックアップ部２０及び信号処理回路２１を通じてメニューに関する映像データ及び音声データであるＶＭＧＭ＿ＶＯＢＳ１３１もしくはＶＴＳＭ＿ＶＯＢＳ１３６をＤＶＤディスク１００から読み出す。
以上のようにしてメニューが表示されるのに伴い、システム制御部１０は、ＤＶＤディスク１００から信号の読み出しを開始（ローディング開始）してからの経過時間が例えば１０分以上か否かを判断する（ステップＳ５３）。
１０分以上経過していない場合（ステップＳ５３：ＮＯ）、さらにシステム制御部１０は、メニューの表示を開始した時点から例えば３０秒以上経過した状態か否かを判断する（ステップＳ５４）。
メニューの表示開始から３０秒以上経過した場合（ステップＳ５４：ＹＥＳ）、信号生成部５０は、「Ｅｎｔｅｒ」キー入力信号を発生させてシステム制御部１０に入力する（ステップＳ５５）。一方、メニューの表示開始から３０秒以上経過するまでは（ステップＳ５４：ＮＯ）、「Ｅｎｔｅｒ」キー入力信号の入力待ちの状態になる。つまり、メニューの表示開始から３０秒以上が経過すれば、「Ｅｎｔｅｒ」キー入力信号を受け付け可能な状態となり、システム制御部１０は、この「Ｅｎｔｅｒ」キー入力信号に応じて、メニュー内の第１選択ボタンに対応するボタンコマンドを実行する。
通常、「第１選択ボタン」は、先の図５に示すように「本編」を選択するボタンＢ１であるが、「第１選択ボタン」がさらに図６に示すようなメニューの表示に移行するためのボタンであることもある。そのため、システム制御部１０は、再びステップＳ５２に戻ってさらにメニューを表示させるのか否か判断する。なお、ここでいう「第１選択ボタン」とは、最初から反転表示された状態のボタンを意味する。
「第１選択ボタン」に対応するボタンコマンドが「メニューを表示せよ」との内容からなる場合（ステップＳ５２：ＹＥＳ）、システム制御部１０は、再びステップＳ５３以降の一連の処理を繰り返し実行する。一方、「第１選択ボタン」に対応するボタンコマンドが「メニューを表示せよ」との内容ではなく（ステップＳ５２：ＮＯ）、「タイトルを再生せよ」とのジャンプコマンドである場合（ステップＳ５６：ＹＥＳ）、システム制御部１０は、そのタイトルをＤＶＤディスク１００から読み出し、信号処理回路２１等を通じてタイトルを再生させる（ステップＳ５７）。
これにより、例えば映画を収録した通常のＤＶＤディスク１００では、映画の本編を構成するタイトルが読み出されて再生され、テレビジョン装置２のスピーカからは、本編に係る音響が出力されるとともに、テレビジョン装置２の画面には、本編に係る映像が映し出される。なお、最初にメニューが表示されず（ステップＳ５２：ＮＯ）、ローディング直後に「タイトルを再生せよ」とのコマンドがある場合にも（ステップＳ５６：ＹＥＳ）、上記と同様の手順で本編等に係るタイトルが再生される。
一方、タイトルの再生終了後のステップＳ５２において、「第１選択ボタン」に対応するボタンコマンドが再び「メニューを表示せよ」との内容からなる場合（ステップＳ５２：ＹＥＳ）、通常はローディング開始からの経過時間が１０分以上経過しているため（ステップＳ５３：ＹＥＳ）、システム制御部１０は、ＤＶＤディスク１００の回転等といった再生のための動作を停止させるとともに（ステップＳ５８）、ディスク交換保持部１１にＤＶＤディスク１００の交換を指示する（ステップＳ５９）。
なお、再生時間の短いシーン等では、ローディング開始からの経過時間が１０分以上にもならないうちに再生が終わって再びメニューが表示されるので、ステップＳ５３：ＮＯ以降の一連の処理が繰り返し実行される。この場合、ステップＳ５５において「Ｅｎｔｅｒ」キー入力信号を入力する際に第１選択ボタンを選択しても良く、第１選択ボタンとは異なる第２選択ボタンを選択しても良い。第１選択ボタンを選択した場合には、同じタイトルが繰り返し再生され、第２選択ボタンを選択した場合には、別のタイトルが自動的に再生される。すなわち、所定時間になるまで複数のタイトルを再生することができる。
また、ステップＳ５２において、「第１選択ボタン」に対応するボタンコマンドが「メニューを表示せよ」との内容からなり（ステップＳ５２：ＹＥＳ）、ステップＳ５２〜Ｓ５５の一連の処理を繰り返すことでローディング開始からの経過時間が例えば１０分以上になる場合にも（ステップＳ５３：ＹＥＳ）、システム制御部１０は、ＤＶＤディスク１００の回転等といった再生のための動作を停止させるとともに（ステップＳ５８）、ディスク交換保持部１１にＤＶＤディスク１００の交換を指示する（ステップＳ５９）。つまり、「Ｅｎｔｅｒ」キー入力信号を何度入力してもメニューしか表示されない場合には、次のＤＶＤディスク１００に交換される。こうしてＤＶＤディスク１００を交換させた後、システム制御部１０は、再びステップＳ５１に戻って交換後のＤＶＤディスク１００に対して一連の処理を繰り返し行う。
ステップＳ５２において、メニューの表示ではなく（ステップＳ５２：ＮＯ）、さらにタイトルの再生も指示されずに停止状態になる場合（ステップＳ５６：ＮＯ）、システム制御部１０は、ステップＳ５９に進む。つまり、ローディング直後に停止してしまう場合にも、次のＤＶＤディスク１００に交換される。
従って、第２実施例に係るマルチディスクチェンジャーによれば、連続再生モードで本編再生前等にメニューが表示されると、自動的に「Ｅｎｔｅｒ」キー入力信号が発生することで第１選択ボタンの選択が確定され、それに応じてほとんどの場合に本編に係るタイトルの映像や音響が再生されるので、複数枚のＤＶＤディスク１００を自動的に交換しながら繰り返し連続再生することができる。
また、本編の再生後に再びメニューが表示される場合でも（ステップＳ５２：ＮＯ、ステップＳ５６：ＹＥＳ、ステップＳ５７を経てステップＳ５２：ＹＥＳの場合）、ステップＳ５３でローディング開始からの経過時間が所定の基準時間（例えば１０分）以上であれば、次のＤＶＤディスク１００に自動的に交換され、本編の再生後にメニューの表示で止まった状態になることはない。
次に、本発明の第３実施例について説明する。
第３実施例は、シングルディスクプレーヤに係るものである。なお、シングルディスクプレーヤは、ディスク交換保持部１１を有さないこと以外、図７に示す機能ブロックと同様の構成からなるため、その図示説明を省略する。
図９は、シングルディスクプレーヤの単純な再生モードでの処理手順を示すフローチャートである。なお、ここで言う単純な再生モードとは、例えば単に一つのＤＶＤディスク１００に記録された映画の本編を一度だけ再生するようなモードを意味する。
シングルディスクプレーヤで再生を始めると、１枚のＤＶＤディスク１００からピックアップ部２０が信号を読み出し始める（ステップＳ７１）。このときも、最初の信号としては、ＶＭＧＩ１３０が読み出され、このＶＭＧＩ１３０が信号処理回路２１を経てシステム制御部１０に送られる。
そして、システム制御部１０は、ＶＭＧＩ１３０の内容に基づき最初にメニューを表示させるのか否かを判断する（ステップＳ７２）。最初にメニューを表示させる場合（ステップＳ７２：ＹＥＳ）、システム制御部１０は、ピックアップ部２０及び信号処理回路２１を通じてメニューに関する映像データ及び音声データであるＶＭＧＭ＿ＶＯＢＳ１３１もしくはＶＴＳＭ＿ＶＯＢＳ１３６をＤＶＤディスク１００から読み出す。
以上のようにしてメニューが表示されると、システム制御部１０は、メニューの表示を開始した時点から例えば３０秒以上経過した状態か否かを判断する（ステップＳ７３）。
メニューの表示開始から３０秒以上経過した場合（ステップＳ７３：ＹＥＳ）、信号生成部５０は、「Ｅｎｔｅｒ」キー入力信号を発生させてシステム制御部１０に入力する（ステップＳ７４）。一方、メニューの表示開始から３０秒以上経過するまでは（ステップＳ７３：ＮＯ）、「Ｅｎｔｅｒ」キー入力信号の入力待ちの状態になる。つまり、メニューの表示開始から３０秒以上が経過すれば、先述した第２実施例と同様に「Ｅｎｔｅｒ」キー入力信号を受け付け可能な状態となり、この「Ｅｎｔｅｒ」キー入力信号に応じてシステム制御部１０は、メニュー内の第１選択ボタンに対応するボタンコマンドを実行する。その後、システム制御部１０は、再びステップＳ７２に戻ってさらにメニューを表示させるのか否かを判断する。
「第１選択ボタン」に対応するボタンコマンドが「メニューを表示せよ」との内容からなる場合（ステップＳ７２：ＹＥＳ）、システム制御部１０は、再びステップＳ７３以降の一連の処理を繰り返し実行する。一方、「第１選択ボタン」に対応するボタンコマンドが「タイトルを再生せよ」とのジャンプコマンドである場合（ステップＳ７２：ＮＯ，ステップＳ７５：ＹＥＳ）、図８の場合と同様にしてタイトルが再生される。
なお、最初にメニューが表示されず（ステップＳ７２：ＮＯ）、ローディング直後に「タイトルを再生せよ」とのコマンドがある場合にも（ステップＳ７５：ＹＥＳ）、上記と同様の手順で本編等に係るタイトルが再生される。タイトルの再生が終わると、システム制御部１０は、全体の動作を停止させてこの再生処理を終える。
なお、メニューの表示ではなく（ステップＳ７２：ＮＯ）、さらにタイトルの再生も指示されずに停止状態になる場合（ステップＳ７５：ＮＯ）、システム制御部１０は、そのまま再生処理を終える。
従って、シングルディスクプレーヤで単に１枚のＤＶＤディスク１００に記録された映画の本編を１回再生するだけの場合、その本編の再生前にメニューが表示されても、自動的に本編が選択された後に再生されるので、メニューが表示された時点で本編を選択するための操作をユーザが特に行う必要はなく、ユーザによる操作の手間を無くすことができる。
なお、本発明は、上記の各実施例に限定されるものではない。
上記のマルチディスクチェンジャーにおける各実施例は、複数枚のＤＶＤディスク１００を自動的に交換しながら連続再生を行うのに適した例であるが、同じ１枚のＤＶＤディスク１００を繰り返し用いて連続再生を行うようにしても良い。もちろん、そのような連続再生をシングルディスクプレーヤで行うようにしても良い。そうした場合、図４に示すフローチャートでは、ステップＳ１２の処理を行うことなくステップＳ１１を経てステップＳ１に戻れば良い。また、図８に示すフローチャートでは、ステップＳ５９の処理を行うことなくステップＳ５１に戻れば良い。
また、シングルディスクプレーヤでは、単純に１回再生する場合でも図９に示すような手順とすることで自動的に再生できるが、シングルディスクプレーヤで単純に１回再生する場合の他の例としては、図４に示すフローチャートでステップＳ１２の処理を行うことなく、そのまま再生処理を終えるような手順としても良い。このようにしても、ユーザによる操作の手間を無くすという同様の効果を得ることができる。
さらに、シングルディスクプレーヤの場合、第１選択ボタンを選択してタイトルを再生した後、メニュー画面に戻り、第１選択ボタンとは異なる第２選択ボタンを選択し、別のタイトルを再生するようにしても良い。こうすることにより、１枚のディスクに複数のタイトルがある場合でも、これら複数のタイトルを連続的に自動で再生することができる。例えば、図９において、ステップＳ７６の終了後にステップＳ７２に戻り、ステップＳ７４において第２選択ボタンを選択すれば良い。
シングルディスクプレーヤとしては、ディスク交換保持部１１に代えて単に１枚のＤＶＤディスク１００を保持するための機構があれば良い。
また、記録メディア再生装置としては、例えばＤＶＤディスクドライブを搭載したパーソナルコンピュータや、ＤＶＤディスクドライブ内蔵のテレビゲーム機でも良い。さらには、モニタと一体化されたＤＶＤプレーヤ等でも良い。
上記の各実施例では、主として映画等の映像と音響が収録されたＤＶＤディスク１００に対応する例を示したが、音楽等の音響を主として収録したＤＶＤオーディオディスクにも対応することができる。
もちろん、記録メディアとしては、ＤＶＤディスクに限らず、例えばＢｌｕｅ−ｒａｙディスク等でも良い。
以上のように、本発明に係る記録メディア再生装置は、メニューを表示することより、ディスク制作者の意図を無視することなく（ナビゲーション違反ではなく）、かつ、自動的に本編を再生することができる。
【図１】
2004093079.tif 000003
【図２】
2004093079.tif 000004
【図３】
2004093079.tif 000005
【図４】
2004093079.tif 000006
【図５】
2004093079.tif 000007
【図６】
2004093079.tif 000008
【図７】
2004093079.tif 000009
【図８】
2004093079.tif 000010
【図９】
2004093079.tif 000011
【国際調査報告】
2004093079.tif 000012
2004093079.tif 000013
2004093079.tif 000014
2004093079.tif 000015